(57)【要約】【課題】  ホームネットワークに連結された被制御機器から送信されるユーザーインターフェース、及び音響情報を通じて被制御機器を制御できるホームネットワーク装置及びこれを利用した音響情報の送信方法を提供する。【解決手段】  ホームネットワークを通じて連結された被制御機器から被制御機器の制御のためのユーザーインターフェース、及びユーザーインターフェースに同期化された音響情報を受信する受信部、受信されたユーザーインターフェースをディスプレイするディスプレイ部、及びディスプレイされたユーザーインターフェースがディスプレイされる時、受信された音響情報を再生する音響再生部とを含む。【選択図】      図３
2007102772.tif 000002
【特許請求の範囲】
【請求項１】
ホームネットワークを通じて連結された被制御機器から前記被制御機器の制御のためのユーザーインターフェース、及び前記ユーザーインターフェースに同期化された音響情報を受信する受信部と、
前記受信されたユーザーインターフェースをディスプレイするディスプレイ部と、
前記ディスプレイされたユーザーインターフェースがディスプレイされる時、前記受信された音響情報を再生する音響再生部と、を含むことを特徴とするホームネットワーク装置。
【請求項２】
ユーザーの入力値が入力されるユーザー入力部と、
前記入力値に該当するユーザーインターフェースを前記被制御機器に要請する要請部と、をさらに含むことを特徴とする請求項１に記載のホームネットワーク装置。
【請求項３】
前記音響情報は、前記ユーザーインターフェースの伝送プロトコルに従うことを特徴とする請求項１に記載のホームネットワーク装置。
【請求項４】
前記音響情報は、音響データ、前記音響データの種類、前記音響データのタイプ、及び前記音響データのメタデータのうち、少なくとも一つを含むことを特徴とする請求項３に記載のホームネットワーク装置。
【請求項５】
所定の音響データを貯蔵する貯蔵部をさらに含むことを特徴とする請求項１に記載のホームネットワーク装置。
【請求項６】
前記音響情報は、前記貯蔵された音響データの識別情報を含むことを特徴とする請求項５に記載のホームネットワーク装置。
【請求項７】
前記音響再生部は、前記音響データの識別情報による音響データを前記貯蔵部から抽出し、
前記抽出された音響データを再生することを特徴とする請求項６に記載のホームネットワーク装置。
【請求項８】
ホームネットワークを通じて連結された制御機器の要請によるユーザーインターフェースを生成するユーザーインターフェース生成部と、
前記生成されたユーザーインターフェースに同期化された音響情報を生成する音響情報生成部と、
前記ユーザーインターフェース、及び前記音響情報を前記制御機器に送信する送信部と、を含むことを特徴とするホームネットワーク装置。
【請求項９】
前記生成されたユーザーインターフェース、及び前記生成された音響情報を同期化させる同期化部をさらに含むことを特徴とする請求項８に記載のホームネットワーク装置。
【請求項１０】
前記音響情報は、前記ユーザーインターフェースの伝送プロトコルに従うことを特徴とする請求項８に記載のホームネットワーク装置。
【請求項１１】
前記音響情報は、音響データ、前記音響データの種類、前記音響データのタイプ、及び前記音響データのメタデータのうち、少なくとも一つを含むことを特徴とする請求項９に記載のホームネットワーク装置。
【請求項１２】
前記音響情報は、前記制御機器に貯蔵された所定の音響データについての音響データの識別情報を含むことを特徴とする請求項９に記載のホームネットワーク装置。
【請求項１３】
ホームネットワークを通じて連結された被制御機器から前記被制御機器の制御のためのユーザーインターフェース、及び前記ユーザーインターフェースに同期化された音響情報を受信する段階と、
前記受信されたユーザーインターフェースをディスプレイする段階と、
前記ディスプレイされたユーザーインターフェースがディスプレイされる時、前記受信された音響情報を再生する段階と、を含むことを特徴とするホームネットワーク装置の受信方法。
【請求項１４】
ユーザーの入力値を入力される段階と、
前記入力値によるユーザーインターフェースを前記被制御機器に要請する段階と、をさらに含むことを特徴とする請求項１３に記載のホームネットワーク装置を利用した音響情報の受信方法。
【請求項１５】
前記音響情報は、前記ユーザーインターフェースの伝送プロトコルに従うことを特徴とする請求項１３に記載のホームネットワーク装置を利用した音響情報の受信方法。
【請求項１６】
前記音響情報は、音響データ、前記音響データの種類、前記音響データのタイプ、及び前記音響データのメタデータのうち、少なくとも一つを含むことを特徴とする請求項１５に記載のホームネットワーク装置を利用した音響情報の受信方法。
【請求項１７】
前記音響情報は、予め貯蔵された音響データについての音響データの識別情報を含むことを特徴とする請求項１５に記載のホームネットワーク装置を利用した音響情報の受信方法。
【請求項１８】
前記音響情報を再生する段階は、前記音響データの識別情報に該当する音響データを前記予め貯蔵された音響データから抽出する段階と、
前記抽出された音響データを再生する段階と、を含むことを特徴とする請求項１７に記載のホームネットワーク装置を利用した音響情報の受信方法。
【請求項１９】
ホームネットワークを通じて連結された制御機器の要請によるユーザーインターフェースを生成する段階と、
前記生成されたユーザーインターフェースに同期化された音響情報を生成する段階と、
前記ユーザーインターフェース、及び前記音響情報を前記制御機器に送信する段階と、を含むことを特徴とするホームネットワーク装置を利用した音響情報の送信方法。
【請求項２０】
前記生成されたユーザーインターフェース、及び前記生成された音響情報を同期化させる段階をさらに含むことを特徴とする請求項１９に記載のホームネットワーク装置を利用した音響情報の送信方法。
【請求項２１】
前記音響情報は、前記ユーザーインターフェースの伝送プロトコルに従うことを特徴とする請求項１９に記載のホームネットワーク装置を利用した音響情報の送信方法。
【請求項２２】
前記音響情報は、音響データ、前記音響データの種類、前記音響データのタイプ、及び前記音響データのメタデータのうち、少なくとも一つを含むことを特徴とする請求項２１に記載のホームネットワーク装置を利用した音響情報の送信方法。
【請求項２３】
前記音響情報は、前記制御機器に貯蔵された所定の音響データについての音響データの識別情報を含むことを特徴とする請求項２１に記載のホームネットワーク装置を利用した音響情報の送信方法。
【発明の詳細な説明】
【技術分野】
【０００１】
本発明は、ホームネットワーク装置及びこれを利用した音響情報の伝送方法に係り、より詳細には、ホームネットワークに連結された被制御機器から送信されるユーザーインターフェース、及び音響情報を通じて被制御機器を制御できるホームネットワーク装置及びこれを利用した音響情報の伝送方法に関する。
【背景技術】
【０００２】
ホームネットワークシステムは、家庭内の機器をネットワークで連結して人と人、機器と機器、人と機器との間のコミュニケーションを可能にし、これを通じて空間と機器の制約なしに家庭内の機器を簡便に制御し、より幅広く多様なサービスを提供されることによって、生の質をより一層高める技術を言う。
【０００３】
このようなホームネットワークシステムは、ユーザーがユーザーインターフェースを通じてホームネットワーク内の機器を制御するデジタルテレビ、及びＰＤＡなどの制御機器と制御機器によって制御されるセットトップボックス、及びＤＶＤプレーヤーなどの被制御機器で構成されうる。
【０００４】
この際、制御機器は、所定の被制御機器についてのユーザーインターフェースを提供し、ユーザーは提供されるユーザーインターフェースを通じて所定の被制御機器を制御する。一方、制御機器は、ホームネットワークを通じて連結されたすべての被制御機器を制御するためのユーザーインターフェースが搭載されることもできるが、ホームネットワークに新たに追加された被制御機器についてのユーザーインターフェースは搭載されていないために別途のダウンロードを通じて新たに追加された被制御機器についてのユーザーインターフェースをユーザーに提供せねばならない煩わしさが発生する。
【０００５】
したがって、最近には、制御機器が所定の被制御機器についてのユーザーインターフェースを搭載しない状態でも、制御機器が該当する被制御機器から送信されたユーザーインターフェースをユーザーに提供している。したがって、制御機器が該当する被制御機器のユーザーインターフェースを搭載しない状態でもユーザーは該当被制御機器を制御できる。
【０００６】
このように、制御機器が被制御機器から送信されるユーザーインターフェースをユーザーに提供する技術は、インテルのＸＲＴ、及び三星のＸＨＴなどで標準化がなされている。
【０００７】
図１は、従来の技術によるホームネットワークシステムが示された図面である。
【０００８】
示されたように、従来の技術によるホームネットワークシステム１０は、被制御機器１１、及び制御機器１２とを含む。
【０００９】
被制御機器１１は、ホームネットワーク１３を通じて連結された制御器機１２に送信するユーザーインターフェースを生成するユーザーインターフェース生成部１１ａ、生成されたユーザーインターフェースを制御機器１２に送信し、制御機器１２からのユーザーインターフェース要請を受信する通信部１１ｂ、及び制御機器１２の要請によるユーザーインターフェースの生成と送信とを制御する制御部１１ｃを含む。
【００１０】
制御機器１２は、ホームネットワーク１３を通じて連結された被制御機器１１から送信されたユーザーインターフェースをディスプレイするディスプレイ部１２ａ、被制御機器１１にユーザーインターフェースを要請し、要請結果によるユーザーインターフェースを受信する通信部１２ｂ、ユーザーの制御によるユーザーインターフェースの要請と受信されたユーザーインターフェースのディスプレイを制御する制御部１２ｃとを含む。
【００１１】
この際、図１のホームネットワークシステムでは、ユーザーが制御しようとする被制御機器で送信されたユーザーインターフェースをユーザーに提供するために、ユーザーが被制御機器についての詳しい内容が分からないとしても被制御機器を制御することができる。
【００１２】
しかし、被制御機器に他の制御機器によるイベントが発生するか、被制御機器内部の状態変化によってイベントが発生した場合には、イベントの発生有無が分からないという問題点がある。
【００１３】
言い替えれば、制御機器を通じてすでにディスプレイされるユーザーインターフェースには、被制御機器でのイベント発生による状態変化が反映されていないので正常的に動作しないこともある。
【００１４】
例えば、被制御機器から送信されたユーザーインターフェースが制御機器でディスプレイされる時は、被制御機器が再生状態であったが、被制御機器で機器故障が発生して再生が止められた場合、すでにディスプレイされたユーザーインターフェースでは被制御機器で機器故障が発生したことを把握する方法がない。
【００１５】
このような問題点を解決するために、特許文献１では、被制御機器の詳細な内容が分からないとしても便利な方法で易しく被制御機器を制御することができ、被制御装置にイベントが発生した場合に制御機器でイベントの発生有無を易しく感知する方法を開示している。
【００１６】
しかし、この場合に、制御機器が被制御機器の状態変化によるイベントを感知できるが、被制御機器の状態変化による音響情報、例えば、警告音または效果音などを制御装置に伝送する必要がある場合には、これを解決する方法を開示することができない。
【特許文献１】韓国特許公開第２００５−００１８３１７号公報
【発明の開示】
【発明が解決しようとする課題】
【００１７】
本発明は、制御機器が被制御機器から送信されたユーザーインターフェース、及び音響情報を通じて被制御機器を制御できるホームネットワーク装置及びこれを利用した音響情報の伝送方法を提供するところにその目的がある。
【００１８】
本発明は、前述した目的に制限されず、言及されなかったさらなる目的は、下記から当業者に明確に理解されるであろう。
【課題を解決するための手段】
【００１９】
前記目的を果たすために、本発明の実施形態によるホームネットワーク装置は、ホームネットワークを通じて連結された被制御機器から前記被制御機器の制御のためのユーザーインターフェース、及び前記ユーザーインターフェースに同期化された音響情報を受信する受信部、前記受信されたユーザーインターフェースをディスプレイするディスプレイ部、及び前記ディスプレイされたユーザーインターフェースがディスプレイされる時、前記受信された音響情報を再生する音響再生部とを含む。
【００２０】
また、前記目的を果たすために、本発明の実施形態によるホームネットワーク装置は、ホームネットワークを通じて連結された制御機器の要請によるユーザーインターフェースを生成するユーザーインターフェース生成部、前記生成されたユーザーインターフェースに同期化された音響情報を生成する音響情報生成部、及び前記ユーザーインターフェース、及び前記音響情報を前記制御機器に送信する送信部とを含む。
【００２１】
また、前記目的を果たすために、本発明の実施形態によるホームネットワーク装置を利用した音響情報の受信方法は、ホームネットワークを通じて連結された被制御機器から前記被制御機器の制御のためのユーザーインターフェース、及び前記ユーザーインターフェースに同期化された音響情報を受信する段階、前記受信されたユーザーインターフェースをディスプレイする段階、及び前記ディスプレイされたユーザーインターフェースによって前記受信された音響情報を再生する段階とを含む。
【００２２】
また、前記目的を果たすために、本発明の実施形態によるホームネットワーク装置を利用した音響情報の送信方法は、ホームネットワークを通じて連結された制御機器の要請によるユーザーインターフェースを生成する段階、前記生成されたユーザーインターフェースに同期化された音響情報を生成する段階、及び前記ユーザーインターフェース、及び前記音響情報を前記制御機器に送信する段階とを含む。
【００２３】
その他の実施形態の具体的な事項は、詳細な説明及び図面に含まれている。
【発明の効果】
【００２４】
本発明のホームネットワーク装置及びこれを利用した音響情報の伝送方法は、被制御機器がユーザーインターフェースを送信する時、ユーザーインターフェース伝送プロトコルに従う音響情報を共に送信してユーザーがユーザーインターフェースを使う時、能動的に対処できる效果がある。
【発明を実施するための最良の形態】
【００２５】
本発明の利点及び特徴、そしてそれらの達成方法は、添付図面と共に詳細に後述されている実施形態を参照すれば、明確になる。しかし、本発明は、以下で開示される実施形態に限定されず、相異なる多様な形態で具現でき、単に本実施形態は本発明の開示を完全にし、当業者に発明の範ちゅうを完全に知らせるために提供され、本発明は請求項の範ちゅうにより定義されるだけである。明細書全体に亙って同じ参照符号は、同じ構成要素を指称する。
【００２６】
以下、本発明の実施形態によってホームネットワーク装置及びこれを利用した音響情報の伝送方法を説明するためのブロック図または処理フローチャートを参考にして、本発明について説明する。この際、処理フローチャートの各ブロックとフローチャートとの組合わせは、コンピュータプログラムインストラクションによって行われるということを理解できるであろう。これらコンピュータプログラムインストラクションは、汎用コンピュータ、特殊用コンピュータまたはその他プログラム可能なデータプロセッシング装備のプロセッサーに搭載されることができるので、コンピュータまたはその他プログラム可能なデータプロセッシング装備のプロセッサーを通じて行われるそのインストラクションがフローチャートブロックで説明された機能を行う手段を生成する。これらコンピュータプログラムインストラクションは、特定方式で機能を具現するためにコンピュータまたはその他プログラム可能なデータプロセッシング装備を志向できるコンピュータ利用可能またはコンピュータ判読可能メモリに貯蔵されることも可能なので、そのコンピュータ利用可能またはコンピュータ判読可能メモリに貯蔵されたインストラクションは、フローチャートブロックで説明された機能を行うインストラクション手段を内包する製造品目を生産することも可能である。コンピュータプログラムインストラクションは、コンピュータまたはその他プログラム可能なデータプロセッシング装備上に搭載されることも可能なので、コンピュータまたはその他プログラム可能なデータプロセッシング装備上で一連の動作段階が行われてコンピュータで実行されるプロセスを生成してコンピュータまたはその他プログラム可能なデータプロセッシング装備を行うインストラクションはフローチャートブロックで説明された機能を実行するための段階を提供することも可能である。
【００２７】
また、各ブロックは、特定された論理的機能を実行するための一つ以上の実行可能なインストラクションを含むモジュール、セグメントまたはコードの一部を表すことができる。また、いくつかの代替実行例では、ブロックで言及された機能が順序を外れて発生することも可能であるということに注目しなければならない。例えば、相次いで示されている二つのブロックは、実質的に同時に行われることも可能であり、またはそのブロックが時々該当する機能によって逆順に行われることも可能である。
【００２８】
以下、添付された図面を参照して、本発明の望ましい実施形態を詳しく説明する。
【００２９】
図２は、本発明の実施形態によるホームネットワークシステムが示された図面である。
【００３０】
示されたように、本発明の実施形態によるホームネットワークシステム１００は、ホームネットワーク１３０を通じて連結された制御機器１１０及び被制御機器１２０を含みうる。
【００３１】
本発明の実施形態で制御機器１１０は、被制御機器１２０から伝達された所定のユーザーインターフェースを伝達されてディスプレイし、ユーザーの入力値によるユーザーインターフェースを被制御機器１２０に要請するデジタルテレビ及びＰＤＡ（パーソナルデジタルアシスタント）などの映像機器の場合を例として説明し、被制御機器１２０は、制御機器１１０の要請によるユーザーインターフェースを制御機器１１０に伝達するセットトップボックス及びＤＶＤプレーヤーなどの場合を例として説明する。
【００３２】
図３は、本発明の第１実施形態による制御機器が示された図面である。
【００３３】
示されたように、本発明の第１実施形態による制御機器１１０は、ホームネットワーク１３０を通じて連結された被制御機器１２０から被制御機器１２０の制御のためのユーザーインターフェース、及びユーザーインターフェースに同期化された音響情報を受信する受信部１１１、受信されたユーザーインターフェースをディスプレイするディスプレイ部１１２、ディスプレイされたユーザーインターフェースによって受信された音響情報を再生する音響再生部１１３、ユーザーの入力値が入力されるユーザー入力部１１４、入力値に該当するユーザーインターフェースを被制御機器１２０に要請する要請部１１５とを含みうる。
【００３４】
受信部１１１は、ユーザーの制御によって要請されたユーザーインターフェース、及び要請されたユーザーインターフェースに同期化された音響情報が存在する場合、音響情報まで共に受信できる。この際、受信される音響情報は、ユーザーインターフェースの伝送プロトコルに従うことができるが、これに限定されない。
【００３５】
ディスプレイ部１１２は、受信部１１１を通じて受信されたユーザーインターフェースをディスプレイすることができ、音響再生部１１３は、受信されたユーザーインターフェースがディスプレイされる時、同期化された音響情報が受信された場合、受信された音響情報を再生できる。
【００３６】
ユーザー入力部１１４は、ユーザーがディスプレイ部１１２を通じてディスプレイされたユーザーインターフェースを使って被制御機器１２０の制御のために入力した入力値が入力されることができ、要請部１１５は、ユーザーがユーザー入力部１１４を通じて入力した入力値に該当するユーザーインターフェースを被制御機器１２０に要請できる。
【００３７】
例えば、被制御機器１２０がＤＶＤプレーヤーであり、ディスプレイ部１１２を通じてＤＶＤプレーヤーに対する再生関連制御のためのユーザーインターフェースがディスプレイされた場合、ユーザーはディスプレイされたユーザーインターフェースを通じてＤＶＤプレーヤー再生関連制御のための入力値をユーザー入力部１１４を通じて入力できる。この際、要請部１１５は、ユーザー入力部１１４を通じて入力された入力値に該当するユーザーインターフェースを被制御機器１２０に要請できる。
【００３８】
一方、制御機器１１０は、被制御機器１２０から音響情報を受信し、受信された音響情報を音響再生部１１３を通じて再生する場合を例として説明しているが、これに限定されず制御機器１１０が予め指定された音響情報をあらかじめ貯蔵した後、被制御機器１２０からはあらかじめ貯蔵された音響情報の識別情報のみを受信し、受信された識別情報に該当する音響情報を再生できる。
【００３９】
一方、前述したような本発明の第１実施形態による制御機器１１０は、前述したような被制御機器１２０の制御のためのユーザーインターフェース、及びユーザーインターフェースに同期化された音響情報を受信することだけではなく、ゲームなどのようにゲーム実行によるユーザーインターフェース、及び音響情報を共に受信する場合にも類似に適用されうる。
【００４０】
図４は、本発明の第２実施形態による制御機器が示された図面である。
【００４１】
示されたように、本発明の第２実施形態による制御機器１１０は、前述した図２の構成要素１１１、１１２、１１３、１１４、１１５に貯蔵部１１６が追加的に含まれうる。
【００４２】
この際、貯蔵部１１６は、被制御機器１２０から受信される音響情報についての識別情報に対応する音響情報が貯蔵されており、音響再生部１１３は、被制御機器１２０から受信される識別情報（例えば、ＩＤなど）を通じて該当する音響情報を貯蔵部１１６から抽出し、抽出された音響情報を再生できる。
【００４３】
このように、被制御機器１２０から音響情報の識別情報のみを受信する場合は、予め指定された音響情報が制御機器１１０に貯蔵された場合で、予め指定されない音響情報の場合には、前述した図２と同様に動作して音響情報を再生できる。
【００４４】
図５は、本発明の実施形態による被制御機器が示された図面である。
【００４５】
示されたように、本発明の実施形態による被制御機器１２０は、ホームネットワーク１３０を通じて連結された制御機器１１０の要請によるユーザーインターフェースを生成するユーザーインターフェース生成部１２１、生成されたユーザーインターフェースに同期化された音響情報を生成する音響情報生成部１２２、及び生成されたユーザーインターフェース、及び音響情報を同期化させる同期化部１２３、及び制御機器１１０にユーザーインターフェース、及び音響情報を送信する送信部１２４を含みうる。
【００４６】
ユーザーインターフェース生成部１２１は、制御機器１１０の要請部１１５からユーザーが入力した入力値に該当するユーザーインターフェースを要請するようになれば、要請によるユーザーインターフェースを生成できる。
【００４７】
音響情報生成部１２２は、ユーザーインターフェース生成部１２１で生成されるユーザーインターフェースに同期化され、ユーザーインターフェースの伝送プロトコルに従う音響情報を生成できる。この際、本発明の実施形態で音響情報生成部１２２は、生成されたユーザーインターフェースに同期化された音響情報を生成することもでき、被制御機器１２０に異常が発生してユーザーインターフェース生成部１２１で制御機器１１０が要請したユーザーインターフェースを提供することができない場合、これを制御機器１１０に知らせるための音響情報を生成することもできる。
【００４８】
また、本発明の実施形態では、音響情報生成部１２２で音響情報を生成する場合を例として説明しているが、これに限定されず予め貯蔵された音響情報を抽出することもできる。
【００４９】
同期化部１２３は、ユーザーインターフェース生成部１２１で生成されたユーザーインターフェースに同期化される音響情報が音響情報生成部１２２で生成された場合、生成されたユーザーインターフェース、及び生成された音響情報を同期化させうる。
【００５０】
送信部１２４は、ユーザーインターフェース生成部１２１、及び音響情報生成部１２２で生成されたユーザーインターフェース、及び音響情報をユーザーインターフェースを要請した制御機器１１０に送信できる。この際、音響情報は、ユーザーインターフェースの伝送プロトコルに従うことができるが、これに限定されない。
【００５１】
図６は、本発明の第１実施形態による制御機器で音響情報を受信する方法が示された図面である。この際、図６では、制御機器１１０に既受信されたユーザーインターフェースを通じてユーザーが所定被制御機器の制御のための入力値を入力して該当被制御機器にユーザーが入力した入力値に該当するユーザーインターフェースを要請した状態の場合を例として説明する。
【００５２】
示されたように、本発明の第１実施形態による制御機器で音響情報を受信する方法は、まず受信部１１１は、ユーザーが入力した入力値によって被制御機器１２０に要請したユーザーインターフェースを受信する（Ｓ１１０）。
【００５３】
また、受信部１１１は、ユーザーインターフェースの受信と共に受信されるユーザーインターフェースに同期化された音響情報が存在する場合（Ｓ１２０）、同期化された音響情報も共に受信する（Ｓ１３０）。この際、受信される音響情報は、ユーザーインターフェースと同時に受信されるか、順次的に受信されることができ、受信される音響情報はユーザーインターフェースの伝送プロトコルに従える。
【００５４】
具体的に、受信される音響情報の伝送プロトコルは、図７に示されたように、音響再生部１１３によって実際再生される音響データの長さを表す音響データの長さ２１１、效果音、及びオーディオデータなどの音響再生部１１３に実際再生される音響データの種類２１２、ｗａｖ、ｍｐ３、及びｗｍａなどの音響データのタイプ２１３、音響データのチャンネル情報及びビットレートなどを含むメタデータ２１４及び音響データ２１５を含みうる。
【００５５】
ディスプレイ部１１２は、受信部１１１を通じて受信されたユーザーインターフェースをディスプレイする（Ｓ１４０）。
【００５６】
音響再生部１１３は、ディスプレイ部１１２を通じて受信されたユーザーインターフェースがディスプレイされる時、同期化された音響情報を前述した図７の音響情報に基づいて再生する（Ｓ１５０）。
【００５７】
この際、図６は、制御機器１１０が被制御機器１２０から音響再生部１１３によって再生される音響データを含む音響情報を受信する場合の例であり、他の実施例で制御機器１１０が音響データを貯蔵している状態で被制御機器１２０から貯蔵された音響データについての識別情報のみを受信することもできる。
【００５８】
図８は、本発明の第２実施形態による制御機器で音響情報を受信する方法が示された図面である。
【００５９】
示されたように、本発明の第２実施形態による制御機器で音響情報を受信する方法は、まず受信部１１１は、ユーザーが入力した入力値によって要請したユーザーインターフェースを受信する（Ｓ２１０）。
【００６０】
また、受信部１１１は、ユーザーインターフェースの受信と共に受信されるユーザーインターフェースに同期化された音響情報が存在する場合（Ｓ２２０）、同期化された音響情報も共に受信する（Ｓ２３０）。この際、受信される音響情報はユーザーインターフェースと同時に受信されるか順次的に受信されることができ、受信される音響情報はユーザーインターフェースの伝送プロトコルに従える。
【００６１】
具体的に、受信される音響情報の伝送プロトコルは、図９に示されたように、音響データの長さ３１１、效果音、及びオーディオデータなどのような音響データの種類３１２、及び音響データの識別情報３１３とを含みうる。
【００６２】
ディスプレイ部１１２は、受信部１１１を通じて受信されたユーザーインターフェースをディスプレイする（Ｓ２４０）。
【００６３】
音響再生部１１３は、受信されたユーザーインターフェースがディスプレイされる時、受信された音響情報に含まれた音響データの識別情報に該当する音響データを前述した図３の貯蔵部１１６から抽出し（Ｓ２５０）、抽出された音響データを再生する（Ｓ２６０）。
【００６４】
このように、前述した図６及び図８では、ユーザーインターフェースと共に音響情報が受信される場合を例として説明しているが、これに限定されず被制御機器１２０に異常状態が発生して制御機器１１０で要請したユーザーインターフェースを送信できない状況などではこれを知らせるための音響情報のみが送信されうる。
【００６５】
図１０は、本発明の実施形態による被制御機器で音響情報を送信する方法が示された図面である。
【００６６】
示されたように、本発明の実施形態による被制御機器で音響情報を送信する方法は、まず制御機器１１０からユーザーインターフェース要請が受信されれば、受信された要請によるユーザーインターフェースをユーザーインターフェース生成部１２１で生成する（Ｓ３１０）。
【００６７】
音響情報生成部１２２は、ユーザーインターフェース生成部１２１によって生成されたユーザーインターフェースに同期化される音響情報が存在する場合（Ｓ３２０）、生成されたユーザーインターフェースに同期化される音響情報を生成する（Ｓ３３０）。この際、生成される音響情報の伝送プロトコルは、制御機器１１０での音響データの貯蔵有無によって前述した図７、及び図９の伝送プロトコルを選択的に使用できる。また、このような音響情報の伝送プロトコルは、ユーザーインターフェースの伝送プロトコルに従える。
【００６８】
同期化部１２３は、生成されたユーザーインターフェースと生成された音響情報を同期化させて（Ｓ３４０）、送信部１２４は同期化されたユーザーインターフェース、及び音響情報を制御機器１１０に送信する（Ｓ３５０）。
【００６９】
この際、図１０では、被制御機器１２０は、制御機器１１０で要請したユーザーインターフェース、及びユーザーインターフェースに同期化された音響情報を共に送信する場合を例として説明しているが、これに限定されず被制御機器１２０に他の制御機器によるイベントが発生するか、被制御機器１２０内部の状態変化によってイベントが発生した場合には、イベントの発生有無を知らせるための音響情報のみを制御機器１１０に送信することもできる。
【００７０】
本発明の実施形態で使われた用語のうち、‘部’は、ソフトウェアまたはフィールドプログラマブルゲートアレイ（ＦＰＧＡ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、‘部’は所定の役割を実行する。しかし、‘部’は、ソフトウェアまたはハードウェアに限定される意味ではない。‘部’は、アドレッシングできる記録媒体にあるように構成することもでき、一つまたはそれ以上のプロセッサーを実行させるように構成することもできる。したがって、一例として‘部’は、ソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と‘部’で提供される機能は、さらに小さな数の構成要素及び‘部’に結合されるか追加的な構成要素と‘~部’とにさらに分離されうる。
【００７１】
以上のように、本発明によるホームネットワーク装置及びこれを利用した音響情報の伝送方法を例示した図面を参照して説明したが、本明細書に開示された実施形態と図面によって本発明は限定されず、本発明の技術思想範囲内で当業者によって多様な変形が可能であるということは勿論である。
【産業上の利用可能性】
【００７２】
本発明は、ホームネットワーク装置及びこれを利用した音響情報の伝送方法に関連する技術分野に適用されうる。
【図面の簡単な説明】
【００７３】
【図１】従来の技術によるホームネットワークシステムが示された図である。
【図２】本発明の実施形態によるホームネットワークシステムが示された図である。
【図３】本発明の第１実施形態による制御機器が示された図である。
【図４】本発明の第２実施形態による制御機器が示された図である。
【図５】本発明の実施形態による被制御機器が示された図である。
【図６】本発明の第１実施形態による音響情報の受信方法が示された図である。
【図７】本発明の第１実施形態による音響情報の伝送プロトコルが示された図である。
【図８】本発明の第２実施形態による音響情報の受信方法が示された図である。
【図９】本発明の第２実施形態による音響情報の伝送プロトコルが示された図である。
【図１０】本発明の実施形態による音響情報の送信方法が示された図である。
【符号の説明】
【００７４】
１１１      受信部
１１２      ディスプレイ部
１１３      音響再生部
１１４      ユーザー入力部
１１５      要請部
【図１】
2007102772.tif 000003
【図２】
2007102772.tif 000004
【図３】
2007102772.tif 000005
【図４】
2007102772.tif 000006
【図５】
2007102772.tif 000007
【図６】
2007102772.tif 000008
【図７】
2007102772.tif 000009
【図８】
2007102772.tif 000010
【図９】
2007102772.tif 000011
【図１０】
2007102772.tif 000012